(57)【要約】【課題】簡易な回路構成でありながら、待機モードの一定期間は外部からの入力電力をゼロにして消費電力を削減する電源装置を提供する。【解決手段】本電源装置１は、負荷装置ｆへ電力を供給する通常モードと停止する待機モードを有する電源装置であって、入力電源を所望電力に変換して負荷装置に供給する電力変換回路２と、電力変換回路を制御する電力変換制御回路３と、電力変換制御回路に動作電力を供給する蓄電手段４と、蓄電手段への電流供給を制御する動作電力制御回路５と、から構成しいている。また、本電源装置は待機モード時に蓄電手段への電流供給状態にある第１待機モードと電流供給が停止状態にある第２待機モードとを選択可能に備え、特に蓄電手段が充電手段４１である場合は、充電手段への充電電流の供給状態を第１待機モード、充電電流の供給停止状態を第２待機モードとし、この２つの待機モードを繰り返して消費電力を削減している。【選択図】      図１
2006149029.tif 000002
【特許請求の範囲】
【請求項１】
外設の負荷装置への電力供給時の通常モードと、電力供給の停止時の待機モードとを有する電源装置であって、
入力電源を所望の電力に変換して負荷装置（ｆ）へ供給するための電力変換回路（２）と、
この電力変換回路（２）を制御するための電力変換制御回路（３）と、
この電力変換制御回路（３）に動作電力を供給する蓄電手段（４）と、
この蓄電手段（４）への電流供給を制御する動作電力制御回路（５）と、
から成ることを特徴とする電源装置。
【請求項２】
蓄電手段（４）への電流供給状態にある第１待機モードと、
該電流供給が停止状態にある第２待機モードと、
を選択可能に備えたことを特徴とする請求項１記載の電源装置。
【請求項３】
蓄電手段（４）を充電手段（４１）とし、
該充電手段（４１）への充電電流の供給状態にある第１待機モードと、
充電電流の供給が停止状態にある第２待機モードと、
を選択可能に備えたことを特徴とする請求項１、又は２記載の電源装置。
【請求項４】
動作電力制御回路（５）は、蓄電手段（４）の出力電圧を検知して、蓄電手段（４）への電流供給を制御するようにしたことを特徴とする請求項１、２、又は３記載の電源装置。
【請求項５】
動作電力制御回路（５）は、タイマー機能により蓄電手段（４）への電流供給を制御するようにしたことを特徴とする請求項１、２、３又は４記載の電源装置。
【請求項６】
蓄電手段（４）を、電力変換回路（２）の入力側に接続したことを特徴とする請求項１、２、３、４又は５記載の電源装置。
【発明の詳細な説明】
【技術分野】
【０００１】
本願発明は、負荷装置に電力を供給する通常動作の通常モードと、負荷装置へ電力の供給を停止する待機動作の待機モードを有する電源装置に関し、特に、待機モード時の動作電力の著しい低減を図った電源装置に関する。
【背景技術】
【０００２】
近年、軽量、コンパクト性、及び制御の容易性からスイッチング方式を用いた電力変換の電源装置が一般化している。このスイッチング方式は、図５に示すように、電力変換回路ａのスイッチング素子ａ１をPWM（Pulse Width Modulation）制御回路ｂにより制御して、入力電源を所望の電力に変換して負荷装置ｆに出力させるものである。なおPWM制御回路ｂは、電力変換回路ａの検出回路ｃにより出力電圧を検知し、内部電源回路ｄから動作電力を得ているのが通常である。
かかるスイッチング電源のような安定化ＤＣ電源のほか、インバータや無停電電源等の電源装置は、大きく分けて電力の伝送を行う電力伝送系と、電力伝送系の動作を制御するための制御系とを含んで構成されている。
【０００３】
これらの電源装置の多くは、負荷装置へ電力を供給する通常動作の運転状態（以下、「通常モード」と称する。）と、負荷装置への電力供給は停止しているが所望時に迅速に電力供給をすることができるように待機した運転状態（以下、「待機モード」と称する。）との２つの動作モードを有している。そして、待機モードにおいては、電力伝送系の電力消費を停止させ、制御系の動作維持のための電力消費のみとし、電源装置全体として消費電力の削減をしていた。
【０００４】
また、電源装置の消費電力の削減方法としては、この他にも、例えば、特許文献１に示すものがある。これは、電源装置の制御回路にマイコンを配置するものであり、マイコンをメインマイコンとサブマイコンとに分け、通常モードと待機モードとで、メインとサブとを使い分ける方式である。すなわち、通常モードは、メインマイコンとサブマイコンとの両方が動作する。一方待機モードになった場合には、例えば消費電力が大きいＰＷＭ制御を行うメインマイコンを停止させて電力伝送系の出力を止めるが、この間もサブマイコンのみは動作させ、メインマイコンに関わる回路系以外はサブマイコンから電力を供給するようにしている。特許文献１に示された技術によれば、待機時において、メインマイコンが消費する電力分だけは削減可能であった。
【特許文献１】特開２００１−１４５３５５号公報（第３−４頁、第１図）
【発明の開示】
【発明が解決しようとする課題】
【０００５】
しかしながら、通常モードと待機モードとの２つの動作モードによる消費電力の削減では、待機モード時において、少ない電力とはいえ、制御系へ電力を出力し続けることを前提としていた。このため、たとえ待機モードといえども電源装置を外から見れば、消費電力が発生し続けることになり、消費電力の低減を図ろうとしても限界があった。
【０００６】
また、特許文献１に示す消費電力の削減では、待機モードにおいてメインマイコンの消費電力はゼロになるが、サブマイコンが動作するための消費電力分は削減することができなかった。
加えて、メインマイコンとサブマイコンの両方を設けることになるので回路が複雑になるばかりか、部品点数が増加することとなり、長期にわたる安定な電力供給を主目的とする電源装置においては信頼性低下に繋がっていた。しかも、両方のマイコンの調整が煩瑣になる等の問題も有していた。
さらに、待機モードは外部電源等のＡＣ電力によってその動作を維持しているため、電源装置自体をＡＣコンセントから外して別な場所に移設することは出来ないものであった。
【０００７】
このために、従来技術によれば、ＡＣコンセントから外して業務用プリンタなどの負荷装置を移設するような場合には、待機モードではなく、プリンタの電源装置を一旦、完全に電源ＯＦＦにする停止モードに設定した上で、プリンタを他所に移設する必要があった。待機モードであれば、通常動作への再開が短時間で行えるが、停止モードから通常動作への復帰には長時間を必要とするので、結果的に電源装置に起因してプリンタの使い勝手が悪くなるという問題もあった。
【０００８】
そこで、本発明は、上記課題に鑑みて為されたものであり、待機モードの消費電力を最低限にまで減らして一定期間はほぼゼロにすると共に、部品点数を大幅に増やすことのない簡易な回路で構成することにより製造が容易、かつ信頼性に優れた電源装置を提供する。
【課題を解決するための手段】
【０００９】
本願発明にかかる電源装置（以下、「本電源装置」と称する。）は、上記課題を解決するため、以下のように構成している。
【００１０】
すなわち、本電源装置（１）は、外設の負荷装置への電力供給時の通常モードと、電力供給の停止時の待機モードとを有する電源装置であって、入力電源を所望の電力に変換して負荷装置（ｆ）に供給するための電力変換回路（２）と、この電力変換回路（２）を制御するための電力変換制御回路（３）と、この電力変換制御回路（３）に動作電力を供給する蓄電手段（４）と、この蓄電手段（４）への電流供給を制御する動作電力制御回路（５）と、から成ることを特徴としている。
【００１１】
本電源装置（１）は上述した構成のため、蓄電手段（４）の蓄電容量及び放電容量によって定まる一定期間、外部電源等からの入力電力を全く必要とせずに電力変換制御回路（３）を動作させて、待機モードの維持を可能としている。
【００１２】
なお、本電源装置（１）は動作モードが通常モード、待機モードに関わらず蓄電手段（４）が電力変換制御回路（３）に動作電力を供給する構成としても良い。この場合、別途内部電源回路等を必要とせず、回路構成を更に簡素化することが可能となる。
【００１３】
また、本電源装置（１）は待機モードにおいては、蓄電手段（４）への電流供給状態にある第１待機モードと、電流供給が停止状態にある第２待機モードとを選択可能に備えたことを特徴としている。したがって、本電源装置（１）は適宜に第１待機モードと第２待機モードとを選択して待機モードの動作状態を維持している。
【００１４】
上記の蓄電手段（４）は、一次電池、二次電池、バッテリ、コンデンサ等から構成している。蓄電手段（４）を、充電可能な二次電池やバッテリ等の充電手段（４１）を選択して構成する場合は、この充電手段（４１）への充電電流の供給状態を第１待機モードとし、充電電流の供給停止状態を第２待機モードとを選択可能としたことを特徴としている。
【００１５】
さらに、動作電力制御回路（５）は、蓄電手段（４）の出力電圧を検知して、蓄電手段（４）への電流供給を制御する構成や、動作電力制御回路（５）に付加したタイマー機能により蓄電手段（４）への電流供給を制御する構成としたことを特徴としている。
【００１６】
加えて、蓄電手段（４）を電力変換回路（２）の前段、つまり電力変換回路（２）より外部電源等の入力側に接続している。このため、待機モード時において、電力変換回路（２）を動作させることなく蓄電手段（４）への電流供給が可能となる構成である。
【００１７】
なお、特許請求の範囲の書類と上記の課題を解決するための手段の欄で記載した括弧付き符号は、発明の構成の理解を容易にするため参考として図面符号を付記したもので、この図面上の形態に限定するものでないことはもちろんである。
【発明の効果】
【００１８】
本電源装置は、電力変換制御回路に電力を供給する蓄電手段及びこれの動作電力制御手段を備えているため、待機モードにおいて、外部電源からの電力供給を停止しても蓄電手段からの電力供給のみで電力変換制御回路を一定時間動作させることが可能となる。これは、電源装置全体でみれば、消費電力を一定時間においてほぼゼロとすることであり、従来の電源装置では実現不可能であった大幅な消費電力削減の効果を奏することとなる。
【００１９】
また、本電源装置は、従来の電源装置に蓄電手段や動作電力制御回路等を組み込んだ簡易な構成であるため、信頼性に優れると共に製造のコストアップを抑制する効果も発揮する。
【００２０】
さらに、電源装置の待機モードを維持したまま、外部電源等と切り離すことが可能なため、電源装置に接続する負荷装置を完全に停止させることなく移設等し、その運転再開の時間短縮が図れる。これは、通常モ−ドと待機モードとを有する負荷装置、例えば、業務用プリンタ等の使い勝手を格段に向上させる効果も期待できる。
【発明を実施するための最良の形態】
【００２１】
以下に、本電源装置における最良の実施形態例について、図面に基づき詳細に説明する。
【実施例１】
【００２２】
図１は本電源装置の概略を示すブロック図である。
本電源装置１は、負荷装置ｆに電力を供給する通常モードと、負荷装置ｆへの電力供給を停止する待機モードとの二つの動作モードを選択的に切り替えて動作する電源装置であって、図１に示すように、主に電力変換回路２、電力変換制御回路３、蓄電手段４、動作電力制御回路５から構成している。このような形態の電源装置は、例えば、直流安定化電源装置、インバータ電源装置あるいは無停電電源装置等が該当する。
【００２３】
電力変換回路２は、外部電源ｅから供給された入力電力を負荷装置に適した出力電力に変換して負荷装置ｆに供給する回路であり、入力側を外部電源ｅに接続し、出力側を負荷装置ｆに接続している。この電力変換回路２は、スイッチング方式やドロッパ方式等の適宜な方式を採用可能である。
なお、外部電源ｅは、主に商用交流電源であるが、他にも直流電源やバッテリ等でも良い。負荷装置ｆは、例えば、通常モードと待機モードと２つの動作モードも備える業務用プリンタが用いられているが、その他の電子、電気機器でも良い。
【００２４】
電力変換制御回路３は、後述する蓄電手段４からの動作電力の供給を得て、電力変換回路２の入力電力を負荷装置ｆに適した出力電力に変換するよう電力変換回路２を制御する回路である。また。電力変換制御回路３は、通常モード、待機モードに関わらず蓄電手段４から動作電力の供給を得るように構成している。この構成のため、電力変換制御回路３を動作させるために従来は必要とした内部電源回路が不要となり、電源装置の回路構成を極めて簡略化している。なお、電力変換制御回路３は通常モードにおいて、別途設けた内部電源回路（図示省略）から動作電力の供給を得ても良い。
【００２５】
上記構成の電力変換制御回路３は、電力変換回路２の出力側に接続した検出回路６から出力電圧や負荷電流の出力電圧検出信号Ｓ１が入力され、この信号Ｓ１に基づき生成した制御信号Ｓ３を電力変換回路２に出力して電力変換回路２を制御している。また、電力変換制御回路３は、負荷装置ｆの運転状態に応じて、通常モードと待機モードとを選択的に切り替える制御もしている。この通常モードと待機モードとの切り替えは、検出回路６で負荷装置ｆの運転状態を検出して制御しているが、負荷装置ｆの動作スイッチ等と連動させ、例えば、動作スイッチが運転状態にあれば通常モードに切り替え、停止状態にあれば待機モードに切り替えるよう構成しても良い。
なお、待機モードにおいて、電力変換制御回路３は電力変換回路２の動作を一時的に停止し、負荷装置ｆへの電力供給を停止するよう制御するが、電力変換制御回路自体は、その制御動作を継続している。
【００２６】
蓄電手段４は、本実施例ではバッテリやコンデンサ、その他の二次電池等の充電可能な充電手段４１で構成し、電力変換制御回路３と接続すると共に電力変換制御回路３に動作用電力を供給している。また、蓄電手段４には、充電手段４１を充電する充電回路４２を配置している。なお、蓄電手段４を一次電池で構成する場合は、この充電回路４２は省略することが可能である。
【００２７】
蓄電手段４の充電回路４２は、入力側を回路電力変換回路２より入力側に接続している。この接続により、待機モードにおいて電力変換回路２を全く動作させることなく、充電手段４１の充電が可能である。充電回路４２の接続方法としては、例えば、電力変換回路２の出力側に内部電源回路（図示省略）を設け、この内部電源回路に充電回路４２を接続し、待機モードにおける充電停止時のみ、電力変換回路２の動作を停止するよう構成しても良い。
【００２８】
動作電力制御回路５は、蓄電手段４の充電動作を制御する回路である。この動作電力制御回路５は、蓄電手段４の充電手段４１から充電手段４１の出力電圧である充電状態検出信号Ｓ４の入力を得て充電制御信号Ｓ５を生成し、充電回路４２に出力している。
【００２９】
また、動作電力制御回路５は待機モード時に、蓄電手段４の電力変換制御回路３への電力供給状態、別言すると、蓄電手段４の電圧レベルにより充電回路４２が充電手段４１を充電する第１待機モードと、充電回路４２が充電手段４１の充電を停止する第２待機モードの２つの待機モードを設定し、この２つの待機モードを切り替えて待機モードを維持している。
【００３０】
本電源装置１は、上記した構成のため、例えば、既存の直流安定化電源装置、インバータ電源装置、無停電電源装置等に蓄電手段４、動作電力制御回路５を付加する簡略な構成であると言える。しかも、電力変換制御回路３、動作電力制御回路５及び検出回路６は、それぞれの構成要素の全部もしくは一部を共通のマイクロコンピュータ７（以下、「マイコン」と称する。）を用いて構成でき、部品点数を大幅に増やすこと無く簡易な回路で構成でき、信頼性の向上を図ることも可能である。
【００３１】
上記の回路の一部をマイコン７で構成した場合には、マイコン独自の機能、例えば、タイマー機能を動作電力制御回路５に付加することができ、このタイマー機能で２つの待機モードを切り替えるようにしても良い。この場合はタイマー機能で設定した時間により蓄電手段４の充電回路４２を制御し、充電時を第１待機モード、充電停止時を第２待機モードと設定すれば良い。
【００３２】
上記のように構成した本電源装置１は、以下のように動作する。
先ず、通常モードにおいて、電力変換回路２は外部電源ｅからの入力電力を負荷装置ｆに適した出力電力に変換して負荷装置ｆに供給する。電力変換制御回路３は、蓄電手段４から動作電力の供給を受けて動作すると共に、検出回路６から入力される出力電圧検出信号Ｓ１に基づき生成した制御信号Ｓ３を電力変換回路２に送信し、電力変換回路２の動作を適宜に制御する。
【００３３】
次に、負荷装置ｆが一時的に動作を停止すると、電力変換制御回路３は、検出回路６から入力される出力電圧検出信号Ｓ１に基づき、電力変換回路２にその動作を停止する制御信号Ｓ３を出力し、電力変換回路２が動作を停止させて待機モードに入る。この待機モードにおいて、電力変換制御回路３は蓄電手段４から動作電力の供給を受けて動作を継続する。
【００３４】
この待機モードにおいて、本電源装置１は、上述したように蓄電手段４の充電手段４１を充電する第１待機モードと充電手段４１の充電を停止する第２待機モードとを備えているため、第２待機モード時には外部電源ｅから全く入力電力の供給を受けずに待機モードを維持することが可能であり、入力電力を最低限にまで削減している。なお、この入力電力を受けずに第２待機モードを維持する時間は、充電手段４１の蓄電容量及び放電容量によって設定される。
【００３５】
本電源装置１は第１、第２待機モードを、蓄電手段４の電力変換制御回路３への電力供給状態を示す充電手段４１の出力電圧の検知又は動作電力制御回路５のタイマー機能により繰り返し、待機モード時の消費電力の削減を行っている。
【実施例２】
【００３６】
次に、本電源装置をスイッチング方式直流安定化電源とした場合の構成および作用を具体的な回路図に基づき説明する。なお実施例１の電源装置と同一部分については同一符号を付して説明する。
図２は本電源装置の回路図であり、図３は本電源装置の待機モード及び通常モードにおける動作電力制御回路による制御を示す一覧表であり、図４は本電源装置の入力電力を示す波形図である。
【００３７】
スイッチング方式直流安定化電源である本電源装置１は、主に電力変換回路２、電力変換制御回路３、蓄電手段４、動作電力制御回路５から構成している。なお、本電源装置１は、上記した電力変換制御回路３、動作電力制御回路５、後述する出力電圧の検出回路６及び負荷状態検出回路９の構成要素の全部又は一部を共通のマイコン７を用いて構成している。このため、上記の動作電力制御回路５はマイコンの機能、例えば、タイマー機能を利用することができる。
【００３８】
また、本電源装置１は、負荷装置ｆへ電力を供給する通常モードと、負荷装置ｆへの電力供給を停止する待機モードを選択的に切り替えて動作し、待機モードは蓄電手段４に充電電流を供給する第１待機モードと、充電電流の供給を停止する第２待機モードとを備えている。
【００３９】
先ず、図示する８は交直変換回路であり、商用交流を供給する外部電源ｅに接続すると共に、商用交流を直流入力電圧に変換して電力変換回路２に供給する回路である。この交直変換回路８は、フィルター回路８１、整流ブリッジ８２、及び電解コンデンサ８３等から構成しているが、既存技術の組合せであるため、これ以上の詳細な説明は省略する。
【００４０】
電力変換回路２は、交直変換回路８から供給される入力電力を適宜な直流出力電圧に変換して負荷装置ｆに供給する回路である。この電力変換回路２は、スイッチング素子２１、トランス２２及び出力整流平滑回路２３等から構成している。トランス２２の入力巻き線にはスイッチング素子２１が接続し、トランス２２の入力巻き線とスイッチング素子２１とを介して供給される直流電圧をスイッチングし、スイッチング出力をトランス２２の出力巻き線に出力する。出力整流平滑回路２３は、トランス２２の出力巻き線に接続され、スイッチング出力を整流平滑して直流出力電圧に変換して負荷装置ｆに供給している。
【００４１】
電力変換制御回路３は、入力電力を負荷装置ｆに適した出力電力に変換するよう電力変換回路２を制御する回路である。本実施例の電力変換回路２は、電源方式がスイッチング方式であるため、スイッチング素子２１を制御するＰＷＭ制御回路３１を配置した構成である。また、電力変換制御回路３は、検出回路６から出力電圧検出信号Ｓ１が入力し、更に後述する負荷状態検出回路９から負荷状態検出信号Ｓ２が入力する。そして、この出力電圧検出信号Ｓ１及び負荷状態検出信号Ｓ２に基づき生成した制御信号Ｓ３を、電力変換回路２のスイッチング素子２１に出力している。
【００４２】
ここで、検出回路６は、電力変換回路２の出力側に接続し、直流出力電圧を検知すると共に出力電圧検出信号Ｓ１を電力変換制御回路３に出力する回路である。この検出回路６は既存技術であるためこれ以上の説明は省略する。
【００４３】
負荷状態検出回路９は、負荷装置ｆの運転状態を検出する回路であって、通常モードと待機モードとの切り替え信号となる負荷状態検出信号Ｓ２を電力変換制御回路３に出力する回路である。この負荷状態検出回路９は、トランス９１、整流平滑回路９２、比較回路９３及び基準電圧９４から構成している。トランス９１の一次巻き線９１ａは交直変換回路８の電解コンデンサ８３の両端に接続しており、二次巻き線９１ｂに電解コンデンサ８３のＡＣリップルを出力する。整流平滑回路９２は二次巻き線９１ｂに接続しており、ＡＣリップルを整流平滑して比較回路９３に出力する。比較回路９３は整流平滑回路９２からの入力電圧と基準電圧９４と比較し、その比較結果を負荷状態検出信号Ｓ２として電力変換制御回路３に出力している。なお、電解コンデンサ８３のＡＣリップルは、負荷装置ｆが運転状態にあると大きく、停止状態にあると小さくなる。このため、電力変換制御回路３は、負荷装置ｆの運転状態に対応した負荷状態検出信号Ｓ２を得ることができる。
【００４４】
蓄電手段４は、電力変換回路２より入力側にスイッチ４３、充電回路４２、ダイオード４４、バッテリ等の二次電池から成る充電手段４１を順次接続して構成している。この蓄電手段４は、外部電源ｅからの充電電流の供給を得て充電手段４１を充電すると共に、電力変換制御回路３に動作電力を供給している。なお、蓄電手段４は待機モード又は通常モードに係わらず、電力変換制御回路３に動作電力を供給している。
【００４５】
動作電力制御回路５は、蓄電手段４の充電動作を制御する回路である。動作電力制御回路５は、蓄電手段４の充電手段４１から充電電圧に比例した電圧である充電状態検出信号Ｓ４が入力し、この信号Ｓ４に基づいて生成する充電制御信号Ｓ５を充電回路４２及びスイッチ４３に出力している。
【００４６】
つまり、動作電力制御回路５は待機モード時に充電手段４１の電圧レベルを検知して充電回路４２及びスイッチ４３を制御し、図３に示すように、第１待機モードと第２待機モードの２つの待機モードを切り替えるよう動作している。
【００４７】
すなわち、充電手段４１の電圧Ｖｂが予め設定した電圧Ｖｏより低いＶｂ<Ｖｏの場合は、スイッチ４３を閉鎖すると共に充電回路４２をＯＮ（起動）させて充電手段４１を充電するよう制御している（第１待機モード）。
【００４８】
一方、充電手段４１の電圧がＶｂ≧Ｖｏの場合は、スイッチ４３を開放すると共に充電回路４２をＯＦＦ（停止）させるよう制御している（第２待機モード）。
【００４９】
なお、動作電力制御回路５は通常モード時においても、図３に示すように、充電手段４１の電圧レベルを検出して２つの待機モードの場合と同様に充電回路４２を制御している。ただし、スイッチ４３は常に閉鎖するように制御している。
【００５０】
加えて、動作電力制御回路５はマイコン７のタイマー機能を利用できるため、第２待機モードの充電回路４２の停止期間かつスイッチ４３の開放期間を、マイコン７のタイマー機能を利用して予め設定することも可能である。この設定した期間においては、本電源装置１を外部電源ｅから切り離しても、電力変換制御回路３が蓄電手段４からの電力供給により動作を維持するため、待機モードを継続することが可能である。その結果、本電源装置１を外部電源から切り離す時に、負荷装置ｆを完全な停止状態とする必要がなくなる。
【００５１】
次に、本電源装置１の通常モード及び２つの待機モードにおける動作及び外部電源４からの入力電力を図４にしたがって説明する。
【００５２】
本電源装置１は、通常モードにおいて、外部電源ｅから入力電力を得て電力変換回路２を介して適宜な出力電力を負荷装置ｆに供給している。電力変換回路２の制御は、蓄電手段４から電力供給により動作する電力変換制御回路３が行っている。この制御は、検出回路６から入力する出力電圧検出信号Ｓ１に基づきＰＷＭ制御回路３１が生成する制御信号Ｓ３をスイッチング素子２１に出力して行っている。この時、蓄電手段４の充電手段４１の電圧レベルが設定電圧より低ければ、充電手段４１も同時に充電している。
この通常モードにおいて本電源装置１は、電力変換回路２が負荷装置ｆに電力を供給するため、図４に示すように、大きな入力電力を得ることとなる。
【００５３】
次に、負荷装置ｆが一時的に運転状態を停止すると、電力変換制御回路３は負荷状態検出回路９から入力される負荷状態検出信号Ｓ２に基づき、電力変換回路２にその動作を停止する制御信号Ｓ３を出力する。このため、本電源装置１は待機モードに移行する。
【００５４】
この待機モードにおいて、蓄電手段４の電圧レベルが設定電圧より高い場合は、予め動作電力制御回路５から充電回路４２及びスイッチ４３に送信された充電制御信号Ｓ５により充電手段４１は停止しているため、充電手段４１からのみの電力が電力変換制御回路３に供給されることになる。この時、本電源装置１の入力電力は、電力変換回路２が動作を停止しているため、図４に示すように、ほぼゼロとなる（第２待機モード）。
【００５５】
上記の第２待機モードにおいて、充電手段４１の電圧レベルが低下してくると、動作電力制御回路５より充電開始の充電制御信号Ｓ５が充電回路４２及びスイッチ４３に送信され、充電手段４１の充電が開始される。このため、本電源装置１には外部電源４から電力が供給され、所定の入力電力を得ることになる（第１待機モード）。
【００５６】
本電源装置１は、負荷装置ｆの運転再開の信号である負荷状態検出信号Ｓ２が電力変換回路２に入力されるまで、上記二つの待機モード状態を繰り返し、待機モード時の消費電力を削減することとなる。
【図面の簡単な説明】
【００５７】
【図１】本電源装置の概略を示すブロック図である。
【図２】本電源装置をスイッチング方式直流安定化電源とした場合の回路図である。
【図３】本電源装置の待機モード及び通常モードにおける動作電力制御回路の制御を示す一覧表である。
【図４】本電源装置の入力電力を示す波形図である。
【図５】従来の電源装置の構成の概略を示すブロック図である。
【符号の説明】
【００５８】
１  本電源装置
２  電力変換回路
２１  スイッチング素子
２２  トランス
２３  出力整流平滑回路
３  電力変換制御回路
３１  ＰＷＭ制御回路
４  蓄電手段
４１  充電手段
４２  充電回路
４３  スイッチ
４４  ダイオード
５  動作電力制御回路
６  検出回路
７  マイコン
８  交直変換回路
８１  フィルター回路
８２  整流ブリッジ
８３  電解コンデンサ
９  負荷状態検出回路
９１  トランス
９１ａ  一次巻き線
９１ｂ  二次次巻き線
９２  整流平滑回路
９３  比較回路
９４  基準電圧
Ｓ１  出力電圧検出信号
Ｓ２  負荷状態検出信号
Ｓ３  制御信号
Ｓ４  充電状態検出信号
Ｓ５  充電制御信号
ａ  電力変換回路（従来例の）
ａ１  スイッチング素子（従来例の）
ｂ  ＰＷＭ制御回路（従来例の）
ｃ  検出回路（従来例の）
ｄ  内部電源回路（従来例の）
ｅ  外部電源
ｆ  負荷装置
【図１】
2006149029.tif 000003
【図２】
2006149029.tif 000004
【図３】
2006149029.tif 000005
【図４】
2006149029.tif 000006
【図５】
2006149029.tif 000007